(57)【要約】【課題】献花量を容易に調整できる墓石用の花立て容器を提供する。また、少量の献花量であっても、切花全体の形・バランスを保持し、美観を保つことのできる墓石用の花立て容器を提供する。【解決手段】有底筒状の容器本体１１０と、容器本体１１０の上端内部に着脱可能に装着固定し、容器本体１１０内に挿入する複数本の切花１の姿勢を固定する固定具１２０とを具備し、固定具１２０は、容器本体１１０の上端開口部１１１Ａに装着される蓋プレート１２１と、蓋プレート１２１の下面に取り付けるとともに、蓋プレート１２１の装着姿勢で容器本体１１０の内周面に付勢状態で密着する複数の固定金具１２２とを具備し、蓋プレート１２１には切花１の茎部を一定本数ずつ挿入可能な非円形の挿入孔１２１Ａ〜１２１Ｃを中心付近およびその周囲に複数箇所設ける。【選択図】図１
2011196032.tif 000002
【特許請求の範囲】
【請求項１】
有底筒状の容器本体と、容器本体の上端内部に着脱可能に装着固定され、容器本体内に挿入される複数本の切花の姿勢を固定する固定具とを具備し、固定具は、容器本体の上端開口部に装着される蓋プレートと、蓋プレートの下面に取り付けられるとともに、蓋プレートの装着姿勢で容器本体の内周面に付勢状態で密着する複数の固定金具とを具備し、蓋プレートには切花の茎部を一定本数ずつ挿入可能な非円形の挿入孔が中心付近およびその周囲に複数箇所設けられていることを特徴とする墓石用の花立て容器。
【請求項２】
各固定金具が蓋プレートの遠心方向へ向けて突出するくの字に曲成されているとともに、各固定金具が内方へ向けてくの字を開くように弾性変形可能とされていることを特徴とする請求項１記載の墓石用の花立て容器。  
【請求項３】
蓋プレートの中央付近の挿入孔の直下に各固定金具により支持されるリング体が配置されていることを特徴とする請求項１または請求項２記載の墓石用の花立て容器。
【請求項４】
各固定金具をくの字が開くように内方へ向けて弾性変形させるための補助プレートが設けられていることを特徴とする請求項１ないし請求項３のいずれか一項に記載の墓石用の花立て容器。
【発明の詳細な説明】
【技術分野】
【０００１】
本発明は、墓石の前方の花立てに設置される献花用の花立て容器に関するものである。
【背景技術】
【０００２】
多くの墓地は、高台で見晴らしがよく、また、風通しのよい場所に造られている。かかる墓地に設置される墓石は前方に花立てを備え、花立てには左右２本セットで献花用の円筒形（陶器製やステンレス製）の花立て容器が設置されている。かかる花立て容器は口径が比較的大きい（直径約７５ｍｍから９０ｍｍある）ことから、容器一杯に献花することが通例となっている。容器一杯に献花すると、活けた切花全体の形やバランスを保持し、美観を保つことができるが、無駄が多いという欠点がある。一方、少量の献花では密度が不足し、全体の形やバランスを保持しにくい。特に、風の強い高台の墓地にあっては、切花の密度が不足すると、切花が風で向きを変えあるいは容器内で回転して、切花全体の形やバランスを崩しやすく、美観を大きく損ねるという問題があった。
【０００３】
また、夏場は容器内の水の吸収・蒸発により水の消耗が激しく水枯れを生じ、あるいは水温が上昇して中の水が腐敗し、早期に切花を傷める等の問題がある。かかる水管理の問題に対しては、従来より、早期の水切れを防ぐための給水装置を設置するもの（特許文献１）や、水温の上昇による花枯れを防ぐために容器を断熱構造とするもの（特許文献２）等が提案されている。
【先行技術文献】
【特許文献】
【０００４】
【特許文献１】特開２００４−０６０３１５号公報
【特許文献２】特開２００４−１２９９７４号公報
【発明の概要】
【発明が解決しようとする課題】
【０００５】
しかしながら、前者の問題、すなわち、風により切花全体の形やバランスが崩れて美観を損ねる問題に対しては、上記提案は何ら解決策を示しておらず、かかる解決策の提案が長年要望されていた。
【０００６】
本発明は上記問題点に鑑みてなされたもので、献花量を容易に調整できる墓石用の花立て容器を提供すること、また、少量の献花量であっても、切花全体の形・バランスを保持し、美観を保つことのできる墓石用の花立て容器を提供すること、さらには、水管理労力の軽減と献花費用の節減を図れる墓石用の花立て容器を提供することを目的とする。
【課題を解決するための手段】
【０００７】
上記課題を解決するために、本発明に係る墓石用の花立て容器は、有底筒状の容器本体と、容器本体の上端内部に着脱可能に装着固定され、容器本体内に挿入される複数本の切花の姿勢を固定する固定具とを具備し、固定具は、容器本体の上端開口部に装着される蓋プレートと、蓋プレートの下面に取り付けられるとともに、蓋プレートの装着姿勢で容器本体の内周面に付勢状態で密着する複数の固定金具とを具備し、蓋プレートには切花の茎部を一定本数ずつ挿入可能な非円形の挿入孔が中心付近およびその周囲に複数箇所設けられていることを主要な特徴とする。
【０００８】
蓋プレートに切花の茎部を一定本数ずつ挿入可能な挿入孔が中心付近およびその周囲に複数箇所設けられているので、例えば献花量が少ない時は中心付近の挿入孔を単独で用いることができ、献花量が多い時は中心付近の挿入孔と周囲の挿入孔を組み合わせて用いることができる。このように容器一杯に献花せざるを得なかった従来に対し、献花量を調整可能である。
【０００９】
各挿入孔は角部を有する非円形の形状をしているから、各挿入孔に挿入した切花が風によって向きを変えあるいは容器本体内で回転することが阻止される。これにより、少量の献花量であっても、切花全体の形・バランスを保持し、美観を保つことが可能である。
【００１０】
中央付近の挿入孔に少量の切花を挿入して献花できるから、花立て容器一杯に献花する場合と比較して、水の減少が少なく切花の花持ちがよく、したがって水管理が容易であるとともに、献花費用も節減できる。
【００１１】
本発明に係る墓石用の花立て容器は、各固定金具が蓋プレートの遠心方向へ向けて突出するくの字に曲成されているとともに、各固定金具が内方へ向けてくの字を開くように弾性変形可能とされていることを第２の特徴とする。なお、くの字の角部は緩やかなＲを付けることが望ましい。
【００１２】
各固定金具を内方へ向けてくの字が開くように弾性変形させながら容器本体の上端開口部から内部に挿入し、しかる後、各固定金具を元の状態に復帰させると容器本体の内周面に密着固定する。これにより、蓋プレートを容器本体の上端開口部に容易に装着することができる。一方、花立て容器の清掃時など、容器本体の上端開口部に装着した蓋プレートを容易に取り外すことができる。
【００１３】
本発明に係る墓石用の花立て容器は、蓋プレートの中央付近の挿入孔の直下に各固定金具により支持されるリング体が配置されていることを第３の特徴とする。
【００１４】
蓋プレートの中央付近の挿入孔の直下に配置されるリング体により容器本体内に挿入した各切花の茎部を束ねて安定して保持することができる。これにより、容器本体内に挿入した各切花の茎部が容器本体内部でばらばらになることなく、リング体によりしっかりと安定保持されることによって、切花全体の形・バランスをよりしっかりと安定的に保持し、美観をより一層保つことが可能である。
【００１５】
本発明に係る墓石用の花立て容器は、各固定金具をくの字が開くように内方へ向けて弾性変形させるための補助プレートが設けられていることを第４の特徴とする。
【００１６】
補助プレートを用いて各固定金具を容易に弾性変形させることができ、これによって蓋プレートを花立て容器本体の上端開口部に一層容易に装着することができる。
【発明の効果】
【００１７】
以上説明したように、本発明に係る墓石用の花立て容器によると、有底筒状の花立て容器本体と、容器本体の上端開口部に着脱可能に装着固定され、容器本体内に挿入される複数本の切花の姿勢を固定する固定具とを具備し、固定具は、容器本体の上端開口部に装着される蓋プレートと、蓋プレートの下面に取り付けられるとともに、蓋プレートの装着姿勢で容器本体の内周面に付勢状態で密着する複数の固定金具とを具備し、蓋プレートには切花の茎部を一定本数ずつ挿入可能な非円形の挿入孔を中心付近およびその周囲に複数箇所設ける構成としたから、必要時に必要量の切花を献花することができるという優れた効果を奏する。
【００１８】
また、蓋プレートの各挿入孔が非円形の形状をしているから、各挿入孔に挿入した切花が高台の風によって向きを変えたり容器本体内で回転することが阻止され、これにより、少量の献花量であっても、切花全体の形・バランスを保持し、美観を保つことができるという優れた効果を奏する。
【００１９】
さらには、中央付近の挿入孔に少量の切花を挿入して献花できるから、花立て容器一杯に献花する場合と比較して、水の減少が少なく切花の花持ちがよく、したがって水管理が容易であるとともに、献花費用も節減できるという優れた効果を奏する。
【図面の簡単な説明】
【００２０】
【図１】本発明の一実施形態を示すもので、本発明に係る墓石用の花立て容器の一部を断面視した全体斜視図、
【図２】固定具の斜視図、
【図３】図２に示す固定図の正面図、
【図４】花立て容器本体内に固定具を装着する様子を示す説明図、
【図５】花立て容器本体内に固定具が装着された状態を示す断面図、
【図６】花立て容器に切花が献花された状態を示す断面図である。
【発明を実施するための最良の形態】
【００２１】
本発明を実施するための最良の形態につき、図１ないし図６を参照して説明する。図中、符号１００は本発明に係る花立て容器を示している。同花立て容器１００は、図１に示すように、容器本体１１０と固定具１２０とから基本構成されている。
【００２２】
容器本体１１０は、ステンレス製からなるもので、有底円筒形状をなし、その内部に水を貯留する水貯留室１１０Ａが設けられるとともに、上端には鍔部１１１が設けられている。
【００２３】
固定具１２０は、同じくステンレス製からなるもので、容器本体１１０の上端開口部１１１Ａに装着される蓋プレート１２１と、蓋プレート１２１の下面に１２０°間隔で取り付けられる３本の固定金具１２２とを備えている。各固定金具１２２は、取付ピン１２３により蓋プレート１２１に一体に取り付けられているとともに、図１に示すように、蓋プレート１２１の装着姿勢で容器本体１１０の内周面に付勢状態で密着するようになっている。
【００２４】
蓋プレート１２１の上面には、図２に示すように、切花１の茎部を一定本数ずつ挿入可能な非円形の複数の挿入孔１２１Ａ〜１２１Ｃ（図示例では４箇所）が中心付近およびその周囲に設けられている。中心付近の挿入孔１２１Ａは４つの角を持つ台形形状（非円形形状）をなし、最も大きい内面積を有する。左右の挿入孔１２１Ｂ，１２１Ｂは同じく４つの角を持つ略四角形状（但し、蓋プレート１２１の外周寄り側のみは円弧状）をなし、最も小さい内面積を有する。中心の挿入孔１２１Ａの背後に位置する挿入孔１２１Ｃは、４つの角を持つ略四角形状（但し、蓋プレート１２１の外周寄り側のみは円弧状）をなし、中程度の内面積を有する。このように複数の挿入孔１２１Ａ〜１２１Ｃを設けることにより、献花量の多少に合わせて適宜調整可能である。
【００２５】
固定金具１２２は、図３に示すように、蓋プレート１２１の遠心方向へ向けて突出するくの字に曲成されているとともに、図４に示すように、内方へ向けてくの字を開くように弾性変形可能とされている。くの字の角部は緩やかなＲが付けられており、固定具１２０の装着と取り外しを繰り返し行う場合であっても塑性変形しにくく、その結果、繰り返し使用に耐えられるようになっている。
【００２６】
３つの固定金具１２２の各曲成部がなす外径Ｄ２は、容器本体１１０の内径Ｄ０よりも若干大きな寸法に設定され、３つの固定金具１２２をそれぞれ内方へ向けてくの字を開くように弾性変形させると、その状態で、図４に示すように、容器本体１１０の上端開口部１１１Ａから内部に挿入させることができ、しかる後、各固定金具１２２を元の状態に復帰させると容器本体１１０の内周面に密着固定するようになっている。なお、蓋プレート１２１の外径Ｄ１は容器本体１１０の内径Ｄ０よりも大きな寸法に設定されている。
【００２７】
また、固定具１２０は、蓋プレート１２１の中央付近の挿入孔１２１Ａの直下に位置して各固定金具１２１により支持されるリング体１２４を備えている。このリング体１２４は、蓋プレート１２１の各挿入孔１２１Ａ〜１２１Ｃに挿入される各切花１の茎部１Ａを束ねて安定的に保持する役目をする。このリング体１２４の内周面１２４Ａは、下に行くに従い内径が小さくなるテーパー面となっており、各挿入孔１２１Ａ〜１２１Ｃに挿入される各切花１の茎部１Ａをスムーズに挿通して束ね易くなっている。
【００２８】
さらに、固定具１２０は、固定具１２０の容器本体１１０への装着の際に、各固定金具１２２をくの字が開くように内方へ向けて弾性変形させるための３本の補助プレート１２５を備えている。この補助プレート１２５は各固定金具１２２に対応して設けられ、図３に示すように、取付ピン１２３により固定金具１２２の外側に位置して蓋プレート１２１の下面に取り付けられ、固定金具１２２の外側に沿って下方に延び、固定金具１２２の曲成部から離れるよう延長する形状となっている。そして、各補助プレート１２５の先端を図４の矢印Ａに示すように内方に向けて互いに寄せるように弾性変形させることにより、固定金具１２２の曲成部をくの字が開くように容易に弾性変形させるように補助する役目をする。これにより、より一層容易に固定具１２０を容器本体１１０の上端開口部１１１Ａに装着することができる。
【００２９】
図５は、容器本体１１０の上端開口部１１１Ａに固定具１２０が装着固定された状態を示している。図５に示すように、固定具１２０の固定金具１２２が補助プレート１２５を介して、固定金具１２２の付勢力および補助プレート１２５の付勢力により、容器本体１１０の内周面に密着固定されていることが分かる。清掃時など、固定具１２０を外したい場合は、蓋プレート１２１の挿入孔１２１Ａ〜１２１Ｃのいずれかに指等を入れて容易に引き上げて外すことができる。
【００３０】
図６は、本実施形態の花立て容器１００に対し、少量の切花１を蓋プレート１２１の中央付近の挿入孔１２１Ａに挿入するとともに、切花１の各茎部１Ａを直下のリング体１２４に保持させ、さらに水Ｗを給水した状態を示している。図６に示すように、少量の献花量であっても、蓋プレート１２１の中央付近の挿入孔１２１Ａを用い、さらに直下のリング体１２４を用いることにより、切花全体の形・バランスを保持し、美観を持たせることができる。左右の挿入孔１２１Ｂには例えば小さな切花を挿入し、背後の挿入孔１２１Ｃには例えばシバ木を挿入する等して、全体をより立体的に装飾することもできる。
【００３１】
そして、蓋プレート１２１の挿入孔１２１Ａ〜１２１Ｃがいずれも角を持つ非円形の形状をしているから、各挿入孔１２１Ａ〜１２１Ｃに挿入した切花が高台の風（特に強風時）によって向きを変えあるいは容器本体１１０内で回転することが阻止され、これにより、少量の献花量であっても、図６に示すように、切花全体の形・バランスを保持し、美観を保つことができる。
【００３２】
さらには、中央の挿入孔１２１Ａに少量の切花を挿入して献花できるから、花立て容器一杯に献花する場合と比較して、水の減少が少なく切花の花持ちがよく、したがって水管理が容易であるとともに、献花費用も節減することができるようになる。
【００３３】
なお、本実施形態では容器本体１１０の材質をステンレス製としたが、これに限らない。陶器製や塩化プラスチック製等であってもよい。また、本実施形態では固定金具１２２を蓋プレート１２１の遠心方向へ向けて突出するくの字に曲成したが、湾曲して突出する形状に曲成してもよい。さらに、保持具１２０は既存の花立て容器に対しても幅広く適用可能である。
【実施例】
【００３４】
本発明者は、現行品（陶器製花立て容器）と本発明品（ステンレス製花立て容器）について、献花量、切花の向きの安定性（回転阻止性）、水量の変化、切花の日持ちの各項目について評価を行った。表１に評価の結果を示す。
【表１】
2011196032.tif 000003
【００３５】
本発明品の場合、現行品と比べると、献花量を現行品の６０％に抑えながらも、風による献花した切花の向きの安定性が良好であり（現行品対比で２０％向上）、水量の変化、切花の日持ちのいずれについても改善効果が認められた。また、献花費用の節減効果も認められた。
【産業上の利用可能性】
【００３６】
本発明の墓石用花立て容器は、必要時に必要量の切花を献花できる花立て容器として、あるいは少量の切花を全体の形・バランスを保持しながら献花できる花立て容器として、広く利用することができる。また人の墓石だけではなく、ペットの墓石にも利用可能である。
【符号の説明】
【００３７】
１  切花
１Ａ  茎部
１００  花立て容器
１１０  容器本体
１１１  鍔
１１１Ａ  上端開口部
１２０  固定具
１２１  蓋プレート
１２１Ａ〜１２Ｃ  挿入孔
１２２  固定金具
１２３  固定ピン
１２４  リング体
１２４Ａ  内周面
１２５  補助プレート
Ｄ０  容器本体の内径  
Ｄ１  蓋プレートの外径
Ｄ２  固定金具の外径
【図１】
2011196032.tif 000004
【図２】
2011196032.tif 000005
【図３】
2011196032.tif 000006
【図４】
2011196032.tif 000007
【図５】
2011196032.tif 000008
【図６】
2011196032.tif 000009